【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
対象者の脳における動脈閉塞の経時的変化を診断するための脳血液動態測定装置であって、前記装置が、
少なくとも１つのプロセッサであって、前記少なくとも１つのプロセッサが、
第１の時間間隔に関連した非侵襲的に得られた少なくとも１つの生体インピーダンス信号を受信し、前記少なくとも１つの生体インピーダンス信号が、前記第１の時間間隔の間、前記対象者の脳の血液動態特性を示すことと、
第２の時間間隔に関連した非侵襲的に得られた少なくとも１つの他の生体インピーダンス信号を受信し、前記少なくとも１つの他の生体インピーダンス信号が、前記第２の時間間隔の間、前記対象者の脳の血液動態特性を示すことと、
前記第２の時間間隔に関連した前記少なくとも１つの他の生体インピーダンス信号と前記第１の時間間隔に関連した前記少なくとも１つの生体インピーダンス信号を比較することと、
前記少なくとも１つの生体インピーダンス信号および前記少なくとも１つの他の生体インピーダンス信号の比較に基づき、動脈閉塞における変化を診断する情報を出力することと
を行うように構成される、プロセッサ、
を含む、脳血液動態測定装置。
【請求項２】
前記少なくとも１つの受信した生体インピーダンス信号は、前記第１の時間間隔の間、前記対象者の脳の右および左側に関連した生体インピーダンス測定間の比較を示し、前記少なくとも１つの他の受信した生体インピーダンス信号は、前記第２の時間間隔の間、前記対象者の脳の右および左側に関連した生体インピーダンス測定間の比較を示す、請求項１の脳血液動態測定装置。
【請求項３】
前記少なくとも１つの受信した生体インピーダンス信号が、前記第１の時間間隔の間、前記対象者の脳のある半球における生体インピーダンス測定を示し、かつ前記少なくとも１つの他の受信した生体インピーダンス信号が、前記第２の時間間隔の間、前記対象者の脳の前記半球における生体インピーダンス測定を示す、請求項１の脳血液動態測定装置。
【請求項４】
前記少なくとも１つの非侵襲的に得られた生体インピーダンス信号が、前記対象者の脳の右側に関連し、前記少なくとも１つの非侵襲的に得られた他の生体インピーダンス信号が、前記対象者の脳の左側に関連する、請求項１の脳血液動態測定装置。
【請求項５】
前記少なくとも１つのプロセッサが、対象者の頭部に関連した電極を介した前記少なくとも１つの生体インピーダンス信号および前記少なくとも１つの他の生体インピーダンス信号を受信するようさらに構成される、請求項１の脳血液動態測定装置。
【請求項６】
前記少なくとも１つのプロセッサが、前記対象者の頭部上に相対的に固定された位置で維持される電極から前記少なくとも１つの生体インピーダンス信号および前記少なくとも１つの他の生体インピーダンス信号を受信するようさらに構成される、請求項５の脳血液動態測定装置。
【請求項７】
前記少なくとも１つのプロセッサが、非侵襲的に得られた複数の追加的信号を受信し、前記少なくとも１つの生体インピーダンス信号、前記少なくとも１つの他の生体インピーダンス信号、および前記複数の追加的信号を比較するようさらに構成され、動脈閉塞における変化を診断する前記出力情報が、前記少なくとも１つの生体インピーダンス信号、前記少なくとも１つの他の生体インピーダンス信号、および前記複数の追加的信号に関連する、請求項１の脳血液動態測定装置。
【請求項８】
前記複数の追加的信号のいくつかが、前記対象者の脳の第１の側に関連し、前記複数の追加的信号の他のいくつかが、前記対象者の脳の第２の側に関連する、請求項７の脳血液動態測定装置。
【請求項９】
前記少なくとも１つのプロセッサが、前記少なくとも１つの生体インピーダンス信号および前記少なくとも１つの他の生体インピーダンス信号内の少なくとも１つのシグネチャーフィーチャを検出し、かつ前記少なくとも１つの生体インピーダンス信号および前記少なくとも１つの他の生体インピーダンス信号の間の差異を決定するよう検出されたシグネチャーフィーチャを使用するようさらに構成される、請求項１の脳血液動態測定装置。
【請求項１０】
前記少なくとも１つのプロセッサが、変曲位置、ピーク位置、予測変曲位置、および予測ピーク位置の内の１つ以上の決定に基づく前記少なくとも１つのシグネチャーフィーチャを検出するようさらに構成される、請求項９の脳血液動態測定装置。
【請求項１１】
前記少なくとも１つのシグネチャーフィーチャが、第１のピーク、第２のピーク、第３のピーク、第１の最小値、第２の最小値および第３の最小値を含む一連のシグネチャーフィーチャである、請求項９の脳血液動態測定装置。
【請求項１２】
前記少なくとも１つのシグネチャーフィーチャが、波形パラメータの統計分布を含む、請求項９の脳血液動態測定装置。
【請求項１３】
前記少なくとも１つの生体インピーダンス信号が、前記電極を介して出力した信号測定からの結果として得られる、請求項５の脳血液動態測定装置。
【請求項１４】
対象者の脳における動脈閉塞の経時的変化を診断する方法であって、
非侵襲的に測定した少なくとも１つの生体インピーダンス信号を受信し、前記少なくとも１つの生体インピーダンス信号が、第１の時間における前記対象者の脳の血液動態特性を示すことと、
非侵襲的に測定した少なくとも１つの他の生体インピーダンス信号を受信し、前記少なくとも１つの他の生体インピーダンス信号が、第２の時間における前記対象者の脳の血液動態特性を示すことと、
前記少なくとも１つの他の生体インピーダンス信号と前記少なくとも１つの生体インピーダンス信号を比較することと、
脳動脈閉塞における変化を診断する際の使用のため、前記比較の結果としての情報を得ることと
を含む、方法。
【請求項１５】
前記少なくとも１つの生体インピーダンス信号が、対象者の脳の右側に関連し、かつ前記少なくとも１つの他の生体インピーダンス信号が、前記対象者の脳の左側に関連する、請求項１４の方法。
【請求項１６】
前記少なくとも１つの生体インピーダンス信号および前記少なくとも１つの他の生体インピーダンス信号が、対象者の頭部に関連した電極から受信され、前記少なくとも１つの生体インピーダンス信号および前記少なくとも１つの他の生体インピーダンス信号が、前記電極を介したプロセッサにより受信される、請求項１５の方法。
【請求項１７】
非侵襲的に測定した複数の追加的信号を受信することをさらに含み、比較することが、前記少なくとも１つの生体インピーダンス信号、前記少なくとも１つの他の生体インピーダンス信号、および前記複数の追加的信号からなる群から選択される生体インピーダンス信号間の差異を決定することならびに前記比較に基づく動脈閉塞における変化を診断することを含む、請求項１４の方法。
【請求項１８】
前記複数の追加的信号のいくつかが前記対象者の脳の第１の側に関連し、かつ前記複数の追加的信号の他のいくつかが前記対象者の脳の第２の側に関連する、請求項１７の方法。
【請求項１９】
比較することが、前記少なくとも１つの生体インピーダンス信号および前記少なくとも１つの他の生体インピーダンス信号内の少なくとも１つのシグネチャーフィーチャを検出し、かつ前記検出したシグネチャーフィーチャを使用して前記少なくとも１つの生体インピーダンス信号および前記少なくとも１つの他の生体インピーダンス信号間の差異を決定する、請求項１４の方法。
【請求項２０】
比較することが、変曲位置、ピーク位置、予測変曲位置、および予測ピーク位置の内の１つ以上の決定に基づく前記少なくとも１つのシグネチャーフィーチャを検出することをさらに含む、請求項１９の方法。
【請求項２１】
前記少なくとも１つのシグネチャーフィーチャが、第１のピーク、第２のピーク、第３のピーク、第１の最小値、第２の最小値および第３の最小値を含む一連のシグネチャーフィーチャである、請求項１９の方法。
【請求項２２】
前記少なくとも１つのシグネチャーフィーチャが波形パラメータの統計分布を含む、請求項１９の方法。
【請求項２３】
前記少なくとも１つの生体インピーダンス信号を生成する測定信号を、電極を介して出力することをさらに含む、請求項１６の方法。